(57)【要約】【課題】商品の属性情報を用いて、商品情報の任意の時間的変化を３次元座標上で即座に表示できるようにする。【解決手段】商品情報表示管理装置１００は、利用端末３００から商品識別子と現在表示中の時刻情報と時間操作情報とを含む商品情報表示要求、及び、表示パターン情報を受け取ると、時刻情報と時間操作情報とから操作後の時刻を算出し、該算出された操作後の時刻を時間キーとし、該時間キーと前記商品識別子とをもとに、時間キー商品情報ＤＢから操作後の時刻に対応する商品属性情報を検索し、表示パターン情報と前記検索された商品属性情報とをもとに、当該商品情報を表示すべき３次元座標情報を算出し、該算出された３次元座標情報を利用者端末３００に返送する【選択図】図３
2007025952.tif 000002
【特許請求の範囲】
【請求項１】
商品識別子と複数の商品属性情報と該商品属性情報が有効である時間を示す時間情報とを含む時間キー商品情報が複数格納された時間キー商品情報データベースと、
商品識別子と現在表示中の時刻情報（直前時刻）と時間操作情報とを含む商品情報表示要求、及び、商品属性情報の表示パターンを指定する表示パターン情報を受け取る手段と、
前記時刻情報と時間操作情報とから操作後の時刻を算出する手段と、
前記算出された操作後の時刻を時間キーとし、該時間キーと前記商品識別子とをもとに、前記時間キー商品情報データベースから操作後の時刻に対応する複数の商品属性情報を検索する手段と、
前記表示パターン情報と前記検索された複数の商品属性情報とをもとに、当該商品情報を表示すべき３次元座標情報を算出する手段と、
前記算出された３次元座標情報を前記商品情報表示要求元に返送する手段と、
を具備することを特徴とする商品情報表示管理装置。
【請求項２】
請求項１記載の商品情報表示管理装置において、
時刻情報と時間操作情報とから操作後の時刻を算出する計算式を定めた時間キー計算式テーブルを具備し、
前記時刻情報と時間操作情報とから操作後の時刻を算出する手段は、前記時間キー計算式テーブルの計算式にしたがって前記操作後の時刻を算出することを特徴とする商品情報表示管理装置。
【請求項３】
請求項２記載の商品情報表示管理装置において、
前記時間キー計算式テーブルは、時間操作モード（早送り、再生、巻戻し等）ごとに計算式を有し、一部又は全部の計算式は時間操作レベル値を変数とする項を含み、
前記時刻情報と時間操作情報とから操作後の時刻を算出する手段は、時間操作情報に含まれている時間操作モードをもとに前記時間キー計算式テーブルから所定の計算式を選択し、該計算式を用いて、時刻情報と時間操作情報に含まれている時間操作レベル値をもとに操作後の時刻を算出することを特徴とする商品情報表示管理装置。
【請求項４】
請求項１記載の商品情報表示管理装置において、
複数の表示パターン規則を定めた表示パターン規則テーブルを具備し、
前記表示パターン情報と前記検索された複数の商品属性情報をもとに、当該商品情報を表示すべき３次元座標情報を算出する手段は、前記表示パターン情報をもとに前記表示パターン規則テーブルから所定の表示パターン規則を選択し、該表示パターン規則に従って、前記検索された複数の商品属性情報について３次元座標情報を算出することを特徴とする商品情報表示管理装置。
【請求項５】
請求項１記載の商品情報表示管理装置において、
前記算出された３次元座標情報を、商品識別子と表示パターン情報と当該３次元座標情報の算出元の商品属性情報が有効である時間を示す時間情報とともに保持する３次元座標保管データベースと、
前記時刻情報と時間操作情報とから操作後の時刻が算出されると、該算出された操作後の時刻を時間キーとし、該時間キーと商品識別子と表示パターン情報を基に前記３次元座標保管データベースを検索し、３次元座標情報が保持されていれば、該３次元座標情報を商品情報表示要求元に返送する手段と、
を具備することを特徴する商品情報表示管理装置。
【請求項６】
商品識別子と複数の商品属性情報と該商品属性情報が有効である時間を示す時間情報とを含む時間キー商品情報が複数格納された時間キー商品情報データベースを具備する商品情報表示管理装置における商品情報表示要求処理方法であって、
商品識別子と現在表示中の時刻情報（直前時刻）と時間操作情報とを含む商品情報表示要求、及び、商品属性情報の表示パターンを指定する表示パターン情報を受け取るステップと、
時刻情報と時間操作情報とから操作後の時刻を算出する計算式を定めたテーブルを参照して、前記商品情報表示要求に含まれる時刻情報と時間操作情報とから操作後の時刻を算出するステップと、
前記算出された操作後の時刻を時間キーとし、該時間キーと前記商品識別子とをもとに、前記時間キー商品情報データベースから操作後の時刻に対応する複数の商品属性情報を検索するステップと、
表示パターン規則を定めた表示パターン規則テーブルを参照して、前記表示パターン情報と前記検索された複数の商品属性情報とをもとに、当該商品情報を表示すべき３次元座標情報を算出するステップと、
前記算出された３次元座標情報を前記商品情報表示要求元に返送するステップと、
を有することを特徴とする商品情報表示要求処理方法。
【請求項７】
商品識別子と複数の商品属性情報と該商品属性情報が有効である時間を示す時間情報とを含む時間キー商品情報が複数格納された時間キー商品情報データベースを具備する商品情報表示管理装置に商品情報表示要求を実行させるための商品情報表示要求処理プログラムであって、
商品識別子と現在表示中の時刻情報（直前時刻）と時間操作情報とを含む商品情報表示要求、及び、商品属性情報の表示パターンを指定する表示パターン情報を受け取る処理と、
時刻情報と時間操作情報とから操作後の時刻を算出する計算式を定めたテーブルを参照して、前記商品情報表示要求に含まれる時刻情報と時間操作情報とから操作後の時刻を算出する処理と、
前記算出された操作後の時刻を時間キーとし、該時間キーと前記商品識別子とをもとに、前記時間キー商品情報データベースから操作後の時刻に対応する複数の商品属性情報を検索する処理と、
表示パターン規則を定めた表示パターン規則テーブルを参照して、前記表示パターン情報と前記検索された複数の商品属性情報とをもとに、当該商品情報を表示すべき３次元座標情報を算出する処理と、
前記算出された３次元座標情報を前記商品情報表示要求元に返送する処理と、
を商品情報表示管理装置に実行させることを特徴とする商品情報表示要求処理プログラム。
【発明の詳細な説明】
【技術分野】
【０００１】
本発明は、Ｗｅｂブラウザ上で複数の商品情報を三次元表示する技術に関し、詳しくは、ネットオークションにおける時々刻々に変化する各商品の入札状況等、商品情報の時間的変化を三次元表示して、利用者の利便性、操作性等の向上を支援する商品情報表示管理装置及び商品情報表示要求処理方法、並びに商品情報表示要求処理プログラムに関する。
【背景技術】
【０００２】
インターネット上に存在する多数の商品の中からより好みに合った商品を選ぶ場合、複数の商品属性を比較して選択する場合が多い。
【０００３】
従来、パソコンなどの利用者端末からインターネットを利用し、ＷｅｂページにアクセスしてＷｅｂページを閲覧することにより、商品の写真、名称、価格などの商品属性をリストとしてＷｅｂブラウザ上で表示する方法は広く知られている。
【０００４】
従来の上記のようなリストとして表示する方法では、一度に表示し得る商品の数に限界があり、大量の商品の属性情報を閲覧する場合には、複数のページに分割された商品リストのページに順次アクセスして閲覧する必要がある。また、各商品の詳細な情報が表示されたページは、従来それぞれひとつの商品につきひとつのＷｅｂページで構成されているのが一般的である。
【０００５】
一方、たとえば、ある注目した商品の価格が最近安定期にあってしばらくはその価格であると予想されるので今買いどきである、あるいは最近急激に値下げが行われており、しばらく待つとさらに値下げされることが予想されるので今買いどきではない等、過去の時間から現在までの価格などの商品属性の変化を把握することで、より好みに合った商品を選択する場合も多い。価格だけでなく、人気や販売店舗数などの商品属性についても同様に調査している。
【０００６】
従来、商品属性をリストとして表示する方法において、このような商品属性の変化を表示する場合、過去の時間から現在までの変化すべてを表示する際には、例えば、商品の詳細な情報が表示されたページに、それぞれひとつの商品にひとつの折れ線グラフ（縦軸に価格、横軸に時間など）で表示するか、カテゴリのトップページ等に、複数の類似商品の価格をひとつの折れ線グラフに表示していた。
【０００７】
また、３次元空間に３軸の座標系を取り、多数の商品のリアルタイムな商品属性情報から各々の商品情報の表示位置を計算し、３次元空間上に多数の商品情報を一覧かつリアルタイムに表示して、リストとして表示する手法に比べ、一覧性を改善した方法も提案されている（例えば、特許文献１参照）。
【０００８】
【特許文献１】特開２００３−１４１３９４号公報
【発明の開示】
【発明が解決しようとする課題】
【０００９】
過去の時間から現在までの商品属性の変化すべてを閲覧しようとする場合、従来の折れ線グラフを用いた方法では、ひとつだけの属性の変化しか表示することは出来ない。つまり、たとえば価格の変化しか表示できない。よって、３種類の属性の変化（たとえば、価格と人気と販売店舗数）を表示するためには、利用者が複数の折れ線グラフを別々に見て、注目している商品について３種の属性の関係をイメージする必要があり、労力が必要であった。
【００１０】
また、３次元空間を利用してリアルタイムな商品属性情報を表示する方法では、リアルタイムな商品属性の変化を把握することは出来るが、過去の時間から現在までの変化すべてを把握するには、表示画面を見て確認し続ける必要がある。
【００１１】
本発明は、上記に鑑みてなされたもので、その目的とするところは各商品の属性情報を用いて複数の商品情報の状況変化を三次元で一覧的かつ短時間に表示し、商品の選択等に関して利便性、操作性等の向上を支援する商品情報表示管理装置およびその商品情報表示要求処理方法、並びに、商品情報表示要求処理プログラムを提供することにある。
【課題を解決するための手段】
【００１２】
本発明の商品情報表示管理装置は、時間キー商品情報データベース、時間キー計算部、３次元座標計算部、及び、装置全体の動作を制御する制御部を備えることを主要な特徴とする。時間キー商品情報データベースは、商品情報を、その商品識別子（商品ＩＤ）と商品属性情報と該商品属性情報が有効であった時間を示す時間情報を含めて保持している。
【００１３】
一方、利用者端末のＷebブラウザ上には、ある時刻の商品情報群が３次元表示されている。ユーザは、ある商品情報について、現在表示中の時刻より後あるいは遡及したある時点の状況を把握したい場合、Ｗebブラウザを通して商品情報表示管理装置に対し、商品識別子と現在表示中の時刻情報と時間操作情報（モード、レベル）とを含む商品情報表示要求、及び、商品属性情報の表示パターンを指定する表示パターン情報を送信する。
【００１４】
商品情報表示管理装置の制御部は、商品情報表示要求及び表示パターン情報を受信すると、商品情報表示要求に含まれる時刻情報と時間操作情報を時間キー計算部に送る。時間キー計算部は、時刻情報と時間操作情報とから操作後の時刻（要求のあった時刻）を算出する。制御部は、該算出された時刻を時間キーとし、該時間キーと商品識別子とを基に時間キー商品情報データベースから操作後の時刻に対応する商品属性情報を取得し、受信した表示パターン情報と該商品属性情報を３次元座標計算部に送る。３次元座標計算部は、表示パターン情報と商品属性情報とをもとに、当該商品情報を表示すべき３次元座標情報を算出し、制御部は、該３次元座標情報をＷebブラウザに返送する。Ｗebブラウザでは、返送された３次元座標情報と商品画像などをもとに、当該商品情報を３次元座標に表示する。
【００１５】
また、本発明の商品情報表示管理装置は、３次元座標計算部で算出された３次元座標情報を、商品識別子と表示パターン情報と当該３次元座標情報の算出元の商品属性情報が有効である時間を示す時間情報とともに保持する３次元座標保管データベースを具備する。制御部は、時間キー計算部で算出された操作後の時刻を時間キーとし、該時間キーと商品識別子と表示パターン情報をもとに３次元座標保管データベースを検索し、３次元座標情報が保持されていれば、それをＷebブラウザに返送する。これにより、Ｗebブラウザに対する応答時間を短縮することができる。
【発明の効果】
【００１６】
本発明により、各商品の属性情報を用いて複数の商品情報の変化を三次元で一覧的かつ短時間に表示できる。よって、複数の商品属性の変化を同時に表示することが出来、商品の選択に関して利便性、操作性を向上した商品表示システムを提供することができる。
【発明を実施するための最良の形態】
【００１７】
以下、図面を用いて本発明の実施の形態について説明する。なお、以下では、ネットオークションでの商品群の入札状況を利用者端末のＷebブラウザ上で三次元表示する場合を例にとる。商品は時計とし、価格、電池寿命、人気ポイント（入札回数）の商品属性を、縦軸（Ｚ軸）に価格、横軸（Ｙ軸）に電池寿命、手前方向の軸（Ｘ軸）に人気ポイントをとり、ネットオークションでの時計群の入札状況を三次元表示するものとする（図９）。
【００１８】
図１は本発明の第１の実施の形態を示すシステム構成例である。これは、本発明の商品情報表示管理装置をネットワーク上に単独のサーバとして配置したものであり、商品情報表示管理装置１００、オークション装置２００及び各利用者端末３００がインターネット等のネットワーク４００を介して接続されている。なお、商品情報表示管理装置１００はオークション装置２００と一体に構成しても、あるいは既存の商品管理サーバに含めることでもよい。各利用者端末３００はＷebブラウザを有している。
【００１９】
図２は本発明の第２の実施の形態を示すシステム構成例である。これは、本発明の商品情報表示管理装置を利用者端末に内蔵させたもので、オークション装置２００及び各利用者端末３００がインターネット等のネットワーク４００を介して接続され、利用者端末３００は、Ｗebブラウザと共にそれぞれ商品情報表示管理装置１００を内蔵している。
【００２０】
以下では、本発明の商品情報表示管理装置１００の動作について図１の第１の実施の形態を例に詳述するが、図２の第２の実施の形態の場合も基本的に同様である。
【００２１】
図３に本発明の商品情報表示管理装置１００の構成例を示す。本商品情報表示管理装置１００は、制御部１１０、時間キー計算部１２０、３次元（３Ｄ）座標計算部１３０、時間キー商品情報データベース１４０、３次元座標保管データベース１５０、時間キー計算式テーブル１００及び表示パターン規則テーブル１７０などからなる。
【００２２】
制御部１１０は、オークション装置２００が提供するネットオークションの時々刻々に変化する各商品の入札状況を受信して時間キー商品情報データベース１４０に蓄積する。また、制御部１１０は、利用者端末３００から商品ＩＤと現在表示中の時刻情報（操作前の時刻）と時間操作情報（モード、レベル）を含む商品情報表示要求及び表示パターン情報を受信すると、時間キー計算部１２０、３次元座標計算部１３０及び時間キー商品情報データベース１４０を制御し、該当商品の操作後の時刻の３次元座標情報を取得して利用者端末３００に返送する。なお、図２の第２の実施形態の場合には、利用者端末３００が利用者端末に内蔵のＷebブラウザにかわるだけである。
【００２３】
時間キー計算部１２０は、制御部１１０から商品情報表示要求に含まれる時刻情報と時間操作情報（モード、レベル）を受け取り、時間キー計算式テーブル１６０の所定計算式に従って操作後の時刻を計算し、制御部１１０に返す。制御部１１０は、商品情報表示要求に含まれる商品ＩＤと上記操作後の時刻（時間キー）を基に時間キー商品情報データベース１４０を検索して、該当商品の操作後の時刻に対応する商品属性情報を取得する。３次元（３Ｄ）座標計算部１３０は、制御部１１０から表示パターン情報と商品属性情報を受け取り、表示パターン規則テーブル１７０のルールに従って該商品属性情報に対応する３次元座標情報を計算し、制御部１１０に返す。制御部１１０は、該３次元座標情報を利用者端末３００に返送する。
【００２４】
また、制御部１１０は、時間キー商品情報データベース１４０のデータを基に、３次元座標計算部１３０で計算された３次元座標値を、商品ＩＤと表示パターン情報と当該３次元座標情報の算出元の商品属性情報が有効である時間を示す時間情報とともに、３次元（３Ｄ）座標保管データベース１５０に記録する。この３次元座標保管データベース１５０を利用することにより、次に商品情報表示要求を利用者端末３００から受信した場合、３次元座標情報の計算を省略でき、利用者端末３００に対する応答時間を短縮することができる。
【００２５】
図５に時間キー商品情報データベース１４０の具体例を示す。図５において、価格、人気ポイント（入札回数）、電池寿命は入札商品（ここでは時計）の商品属性情報であり、有効開始時間と有効終了時間は、それぞれ、該商品属性情報（の値）が有効である開始時刻と終了時刻を表している。
【００２６】
図６は３次元座標保管データベース１５０の具体例である。３次元座標保管データベース１５０は、時間キー商品情報データベース１４０内の商品属性情報に対応する３次元座標情報を保持する。図６において、商品ＩＤ、有効開始時間および有効終了時間は図５に示した時間キー商品情報データベース１４０のデータと同様であるが、Ｚ，Ｘ，Ｙ座標値は図５の価格、人気ポイント、電池寿命の商品属性情報の値に対応する座標値を示している。表示パターン番号は座標計算で使用した表示パターン規則の種別を表している。なお、３次元座標保管データベース１５０は、時間キー商品情報データベース１４０と一体的に構成することでもよい。
【００２７】
図７は時間キー計算式テーブル１６０の一例である。ここで、直前時刻は、具体的には、利用者が現在閲覧中（表示中）の入札状況に対応した時刻であり、例えば、昨日のある時点の入札状況を見ているのであれば、その時刻、また、現時点の最新の入札状況を見ているのであれば、該カレント時刻である。時間キーは、操作後（計算後）の時刻を示し、該直前時刻から所定時間だけ進んだ時点あるいは遅れた時点の入札状況に対応した時刻である。時間キーとしたのは、時間キー商品情報データベース１４０の有効開始／終了時間の検索キーに用いるようにしたためである。
【００２８】
図７に示すように、ここでは、時間キーの計算式は早送り、再生、巻き戻し毎にそれぞれ用意する。早送りは、直前時刻から早送りで時刻を進めるモードであり、進め方はレベル値で定める。ここで、レベル値は１〜５の５段階とする。例えば、レベル値＝１では、直前時刻から１分進め、レベル値＝３では、直前時刻から３分進める。再生モードでは、常に直前時刻から１分だけ進める。巻き戻しモードは、早送りモードの逆である。例えば、レベル値＝１では、直前時刻から１分遅らせ、レベル値＝３では、直前時刻から３分遅らせる。
【００２９】
図８は表示パターン規則テーブル１７０の一例である。表示パターン規則テーブル１７０は、種々の表示パターンの規則（ルール）を記述したテーブルである。ここでは、表示パターン１（表示パターン番号＝１）は、Ｘ軸に商品属性情報の人気ポイント、Ｙ軸に電池寿命、Ｚ軸に価格を表示し、ＸとＹ座標の値は当該商品属性情報の値を１０倍にすることで算出し、Ｚ座標の値は当該商品属性値を１／５に縮小して算出するものとする。同様にして、表示パターン規則テーブル１７０には、種々の表示パターンの規則を予め記述しておく。
【００３０】
図４は商品情報表示管理装置１００の全体的処理フローを示したものである。以下、図５乃至図８の具体例にもとづいて商品情報表示管理装置１００の動作例を詳述する。
【００３１】
利用者端末３００には、ユーザがＷebブラウザを用いて閲覧中のネットオークションにおけるある時点の商品画面が表示されているとする。図９は商品表示画面の一例である。
【００３２】
利用者端末３００は、ユーザが商品表示画面上の任意の商品、表示パターンを指定し、時間操作レバーを操作した場合、現在表示中の時刻情報（直前時刻）と時間操作情報（モード、レベル）と該商品の商品ＩＤを含む商品情報要求、表示パターン情報を商品情報表示管理装置１００に送信する。いま、図９に示すように、ユーザが閲覧中の商品表示画面は「２００４年１月１日１３時４６分」のオークション画面で、ユーザが商品ＩＤ「１０」の商品をクリックし、また、表示パターン「１」をクリックし、時間操作レバーの「早送り」をクリックして、レベルのつまみを「レベル３」に合わせたとする。この場合、利用者端末３００から商品情報表示管理装置１００に対して、直前時刻「２００４年１月１日１３時４６分」と時間操作情報「早送りモード」と「レベル３」と商品ＩＤ「１０」を含む商品情報表示要求と、表示パターン「表示パターン１」が送付される。図８から、表示パターン１は、Ｘ軸に人気ポイント、Ｙ軸に電池寿命、Ｚ軸に価格を表示し、Ｘ座標とＹ座標は商品属性を１０倍にし、Ｚ座標は商品属性を１／５に縮小することを意味している。
【００３３】
商品情報表示管理装置１００の制御部１１０は、利用者端末３００から商品情報表示要求、表示パターン情報を受信すると（ステップ１１）、商品情報表示要求に含まれる現在表示中の時刻情報（直前時刻）と時刻操作情報（モード、レベル）を時間キー計算部１２０に送る。ここでは、制御部１１０は、利用者端末３００から直前時刻「２００４年１月１日１３時４６分」と時間操作情報「早送りモード」と「レベル３」と商品ＩＤ「１０」を含む商品情報表示要求と、表示パターン「表示パターン１」を受信し、時間キー計算部１２０に対して直前時刻「２００４年１月１日１３時４６分」と時間操作情報「早送りモード」と「レベル３」を送る。
【００３４】
時間キー計算部１２０は、制御１１０から時刻情報（直前時刻）と時間操作情報（モードレベル）を受け取ると、時間キー計算式テーブル１６０の所望計算式をもとに操作後の時刻（時間キー）を計算して、制御部１１０に返す（ステップ１２）。ここでは、時間キー計算部１２０は、制御部１１０から直前時刻「２００４年１月１日１３時４６分」と時間操作情報「早送りモード」と「レベル３」を受け取り、図７の時間キー計算式テーブル１６０から早送りモードの計算式
時間キー＝直前時刻＋レベル値×１分
を選択して、操作後の時刻（時間キー）として「２００４年１月１日１３時４９分」を計算し、制御部１１０へ返す。これは、時間操作は、早送りモードであるので、直前時刻「２００４年１月１日１３時４６分」から時刻を進め、さらに、レベル３であるので進める時間は３分（３×１分）進めることを意味している。
【００３５】
制御部１１０は、商品情報表示要求に含まれている商品ＩＤと時間キー計算部１２０で計算された操作後の時刻（時間キー）をもとに、時間キー商品情報データベース１４０を検索して、商品ＩＤに対応する商品の操作後の時刻の商品属性情報の値を取得する（ステップ１３）。ここでは、図５の時間キー商品情報データベース１４０より、商品ＩＤ「１０」の「２００４年１月１日１３時４９分」時点での商品属性情報の値として、価格「５１０」、人気ポイント「６」、電池寿命「３」が取得される。制御部１１０は、利用者端末３００から受信した表示パターン「表示パターン１」、及び、時間キー商品情報データベース１４０から取得した商品属性情報の価格「５１０」、人気ポイント「６」、電池寿命「３」を３次元座標計算部１３０に送る。
【００３６】
３次元座標系三部１３０は、制御部１１０から送られた表示パターン情報、商品属性情報をもとに、表示パターン規則テーブル１７０の所望ルールにしたがって操作後の時刻の商品情報を表示する３次元座標情報を計算し、制御部１１０に返す（ステップ１４）。ここでは、３次元座標計算部１３０は、制御部１１０から受け取った価格「５１０」、人気ポイント「６」、電池寿命「３」と表示パターン「表示パターン１」を基に、図８の表示パターン規則テーブル１７０における表示パターン番号「１」のルールにしたがって、３次元座標情報「（６０，３０，１０２）」を計算し、制御部１１０へ返す。
【００３７】
制御部１１０は、３次元座標計算部１３０から返された３次元座標情報を利用者端末３００に返送する（ステップ１５）。ここでは、制御部１１０は利用者端末３００に対して３次元座標情報として「１６０，３０，１０２」を返送する。これを受けて、利用者端末３００は、商品ＩＤ「１０」の商品を座標「（６０，３０，１０２）」の位置に表示し直す。図９において、（１）は商品の元の表示位置、（１）’は変更後の表示位置を示している。他の商品についても同様であり、時間操作レバー等を操作すると、操作に応じてそれぞれの商品の表示位置が変化する。なお、各商品の説明文や画像などを一緒に表示することも可能である。
【００３８】
一方、制御部１１０は、時間キー商品情報データベース１４０を基に、商品ＩＤ、有効開始時間、有効終了時間、及び、３次元座標計算部１３０から受け取った３次元座標情報などを表示パターン番号と対応付けて３次元座標保管データベース１５０に記録する（ステップ１５）。図６は３次元座標保管データベース１５０の具体例である。
【００３９】
制御部１１０は、利用者端末３００から次に商品情報表示要求を受け取った場合、利用者端末３００から受信した表示パターン情報、商品ＩＤ、時間キー計算部１２０から渡される時間情報（時間キー）を基に、３次元座標保管データベース１５０を検索する。検索の結果、要求された３次元座標情報が３次元座標保管データベース１５０から取得できれば、該３次元座標情報を利用者端末３００に返送する。この場合、時間キー商品情報データベース１４０の検索や３次元座標計算部１３０での座標計算（図４のステップ１３，１４）が不要であり、利用者端末３００に対する応答時間を短縮することができる。
【００４０】
なお、図３で示した商品情報表示管理装置における一部もしくは全部の処理機能をコンピュータのプログラムで構成し、そのプログラムをコンピュータを用いて実行して本発明を実現することができること、あるいは、図４のような処理手順をコンピュータのプログラムで構成し、そのプログラムをコンピュータに実行させることができることは言うまでもない。また、コンピュータでその処理機能を実現するためのプログラム、あるいは、コンピュータにその処理手順を実行させるためのプログラムを、そのコンピュータが読み取り可能な記録媒体、例えば、ＦＤ、ＭＯ、ＲＯＭ、メモリカード、ＣＤ、ＤＶＤ、リムーバブルディスクなどに記録して、保存したり、提供したりすることができるとともに、インターネット等のネットワークを通してそのプログラムを配布したりすることが可能である。
【図面の簡単な説明】
【００４１】
【図１】本発明の第１の実施の形態のシステム構成図。
【図２】本発明の第２の実施の形態のシステム構成図。
【図３】本発明の商品情報表示管理装置の構成例を示す図。
【図４】図３の商品情報表示管理装置の全体的処理フロー図。
【図５】時間キー商品情報データベースの具体例を示す図。
【図６】３次元座標保管データベースの具体例を示す図。
【図７】時間キー計算式テーブルの一例を示す図。
【図８】表示パターン規則テーブルの一例を示す図。
【図９】本発明による商品表示画面の一例を示す図。
【符号の説明】
【００４２】
１００  商品情報表示管理装置
２００  オークション装置
３００  利用者端末
４００  ネットワーク
１１０  制御部
１２０  時間キー計算部
１３０  ３次元（３Ｄ）座標計算部
１４０  時間キー商品情報データベース
１５０  ３次元座標保管データベース
１６０  時間キー計算式テーブル
１７０  表示パターン規則テーブル
【図１】
2007025952.tif 000003
【図２】
2007025952.tif 000004
【図３】
2007025952.tif 000005
【図４】
2007025952.tif 000006
【図５】
2007025952.tif 000007
【図６】
2007025952.tif 000008
【図７】
2007025952.tif 000009
【図８】
2007025952.tif 000010
【図９】
2007025952.tif 000011